(57)【特許請求の範囲】
【請求項１】
開口部を備え、デバイスを格納する、貫通穴を有する筐体から構成される格納部と、
前記デバイスと外部装置とを接続する接続手段と、
前記接続手段が前記デバイスと外部装置とを接続しているか否かを判別する第１の判別手段と、
前記開口部を覆うカバー部と、
前記開口部を覆った前記カバー部に設けられ、励磁コイルと、前記励磁コイルに供給される電流がＯＮ又はＯＦＦされると前記筐体の前記貫通穴を貫通して前記カバー部を固定し、前記励磁コイルに供給される電流がＯＦＦ又はＯＮされると、貫通していた前記貫通穴から抜けて前記カバー部の固定を解除する可動鉄心と、を有するソレノイドから構成されるカバー固定部と、
前記励磁コイルに電流が供給されているか否かを判別して、前記カバー固定部が前記カバー部を固定しているか否かを判別する第２の判別手段と、
前記デバイスが取り外された旨を外部に通知する通知部と、
前記第１の判別手段によって前記接続手段が前記デバイスと外部装置とを接続していないと判別され、且つ、前記第２の判別手段によって前記カバー固定部が前記カバー部を固定していないと判別されたとき、前記通知部に前記デバイスが取り外された旨を外部に通知させる制御部と、
を備えることを特徴とする盗難防止装置。
【請求項２】
前記制御部は、判別の開始を指示する旨を受け付ける受付手段を備え、前記受付手段が判別を開始する旨を受け付け、前記第１の判別手段によって前記デバイスと外部装置とが接続されていないと判別され、且つ、前記第２の判別手段によって前記カバー固定部は前記カバー部を固定していないと判別されたとき、前記通知部に前記デバイスが取り外された旨を外部に通知させる、
ことを特徴とする請求項１に記載の盗難防止装置。
【請求項３】
前記格納部は、少なくとも１つ以上のデバイスを格納し、
前記第１の判別手段は、前記複数のデバイスのうち少なくとも１つのデバイスと前記外部装置との接続が切断された場合、前記接続手段が前記デバイスと外部装置とを接続していないと判別する、
ことを特徴とする請求項１又は２に記載の盗難防止装置。
【請求項４】
前記通知部は、前記デバイスが取り外された旨を電子メールで通知する、
ことを特徴とする請求項１乃至３のいずれか１項に記載の盗難防止装置。
【請求項５】
前記通知部は、前記デバイスが取り外された旨を外部のシステムへ通知する、
ことを特徴とする請求項１乃至４のいずれか１項に記載の盗難防止装置。
【請求項６】
前記通知部は、音声を出力する音声出力手段を備え、前記デバイスが取り外された旨を音声によって通知する、
ことを特徴とする請求項１乃至５のいずれか１項に記載の盗難防止装置。
【請求項７】
前記盗難防止装置は、画像を表示する表示部をさらに備え、
前記制御部は、前記表示部に前記デバイスが取り外された旨を表示させる、
ことを特徴とする請求項１乃至６のいずれか１項に記載の盗難防止装置。
【発明の詳細な説明】
【技術分野】
【０００１】
本発明は、盗難防止装置に関し、特に盗難防止機能を備えた情報処理装置に関する。
【背景技術】
【０００２】
近年、情報処理装置の情報処理速度は、著しく向上している。それに伴って、複数のハードディスクドライブ（HDD; Hard Disk Drive）を論理的に１つにまとめたディスクアレイ装置の需要が高まっている。ディスクアレイ装置には、複数のＨＤＤが装置内に実装されている。このＨＤＤの盗難を防止するために、例えば、ＨＤＤをディスクアレイ装置に実装した後に、鍵付きのフロントベゼルが取り付けられている。この他にも、例えば、ディスクアレイ装置本体を鍵が備え付けられたラックに実装する、又は、セキュリティを確保されたマシンルームにディスクアレイ装置を設置する等の方法がとられていた。しかしながら、これらの方法では、コストがかかるという問題があった。
この他にも、例えば、特許文献１には、コンピュータの部品の盗難防止装置が開示されている。この盗難防止装置には、コンピュータの筐体カバーのネジ止部のネジ座にネジ接点と、コンピュータに取り付け可能な基板とが設けられている。この基板には、ネジ止部からネジを抜き取ることによりネジ接点が導通又は遮断され、このネジ接点の導通又は遮断により警報信号を発する盗難防止回路が設けられている。
【特許文献１】特開２０００−０９９１８６号公報（第４，５頁、図１）
【発明の開示】
【発明が解決しようとする課題】
【０００３】
しかしながら、特許文献１に開示された盗難防止装置は、筐体カバーの取り外しを検知することができるが、ＨＤＤそのものを取り外されたことを検知することができないという問題があった。また、日常的に、コンピュータのメンテナンスにおいて筐体カバーが取り外されることがある。この場合にも、特許文献１に開示された盗難防止装置は、警報信号を発してしまうという問題があった。
【０００４】
本発明は、上記の問題を解決するためになされたものである。本発明は、低コストでディスクアレイ装置に実装されたデバイスが盗まれたことを精度良く検知するとともに、盗難が発生した場合に迅速に盗難された旨を通知する盗難防止装置を提供することを目的とする。
【課題を解決するための手段】
【０００５】
上記の目的を達成するために、本発明の第１の観点に係る盗難防止装置は、
開口部を備え、デバイスを格納する、貫通穴を有する筐体から構成される格納部と、
前記デバイスと外部装置とを接続する接続手段と、
前記接続手段が前記デバイスと外部装置とを接続しているか否かを判別する第１の判別手段と、
前記開口部を覆うカバー部と、
前記開口部を覆った前記カバー部に設けられ、励磁コイルと、前記励磁コイルに供給される電流がＯＮ又はＯＦＦされると前記筐体の前記貫通穴を貫通して前記カバー部を固定し、前記励磁コイルに供給される電流がＯＦＦ又はＯＮされると、貫通していた前記貫通穴から抜けて前記カバー部の固定を解除する可動鉄心と、を有するソレノイドから構成されるカバー固定部と、
前記励磁コイルに電流が供給されているか否かを判別して、前記カバー固定部が前記カバー部を固定しているか否かを判別する第２の判別手段と、
前記デバイスが取り外された旨を外部に通知する通知部と、
前記第１の判別手段によって前記接続手段が前記デバイスと外部装置とを接続していないと判別され、且つ、前記第２の判別手段によって前記カバー固定部が前記カバー部を固定していないと判別されたとき、前記通知部に前記デバイスが取り外された旨を外部に通知させる制御部と、
を備えることを特徴とする。
【発明の効果】
【０００６】
本発明によれば、低コストでディスクアレイ装置に実装されたデバイスが盗まれたことを精度良く検知するとともに、盗難が発生した場合に迅速に盗難された旨を通知する盗難防止装置を提供することができる。
【発明を実施するための最良の形態】
【０００７】
以下、図面を参照して本発明の実施の形態について説明する。
【０００８】
（第１の実施の形態）
第１の実施の形態に係る盗難防止装置１について、図１，２を参照して説明する。
盗難防止装置１は、格納部１１０と、接続部１３０と、カバー１４０と、固定部１５０と、通知部１６０と、制御部１７０と、を備える。盗難防止装置１は、自装置に格納するデバイスの盗難を防止し、デバイスが盗難されたときに、外部にその旨を通知する。
【０００９】
格納部１１０は、例えば金属製の筐体で構成され、デバイス１２０を格納し、開口部１１０ａを備える。
【００１０】
接続部１３０は、例えばケーブル等で構成され、格納部１１０が格納するデバイス１２０と外部装置１０とを接続する。
【００１１】
カバー１４０は、格納部１１０の開口部１１０ａを覆う。
【００１２】
固定部１５０は、格納部１１０の開口部１１０ａを覆ったカバー１４０を固定する。
【００１３】
通知部１６０は、制御部１７０から制御信号を供給されると、デバイス１２０が盗難された旨を外部へ通知する。
【００１４】
制御部１７０は、ＣＰＵ（Central Processing Unit）、ＲＯＭ（Read Only Memory）等から構成され、ＲＯＭに格納されたプログラムに従って、盗難防止装置１全体を制御する。制御部１７０は、接続部１３０の接続状態を判別するとともに、固定部１５０がカバー１４０を固定しているか否かを判別する。そして、接続部１３０が接続していないと判別するとともに、固定部１５０がカバー１４０を固定していないと判別した場合、制御部１７０は、通知部１６０へと制御信号を供給し、デバイス１２０が盗難された旨を外部へ通知させる。
【００１５】
次に、盗難防止装置１の動作について、図２のフローチャートを参照して説明する。
【００１６】
盗難防止装置１の電源（図示せず）が投入されると、制御部１７０は、図２のフローチャートで示す盗難監視処理を開始する。
【００１７】
制御部１７０は、まず、固定部１５０が格納部１１０の開口部１１０ａを覆っているカバー１４０を固定しているか否かを判別する（ステップＳ１１）。固定部１５０がカバー１４０を固定していると判別した場合（ステップＳ１１；Ｙｅｓ）、制御部１７０は、処理をステップＳ１１に戻す。
【００１８】
固定部１５０がカバー１４０を固定していないと判別した場合（ステップＳ１１；Ｎｏ）、制御部１７０は、接続部１３０がデバイス１２０と外部装置１０とを接続しているか否かを判別する（ステップＳ１２）。接続部１３０が接続していると判別した場合（ステップＳ１２；Ｙｅｓ）、制御部１７０は、処理をステップＳ１１に戻す。
【００１９】
接続部１３０が接続していないと判別した場合（ステップＳ１２；Ｎｏ）、制御部１７０は、通知部１６０に制御信号を供給し、デバイス１２０が盗難された旨を通知し（ステップＳ１３）、盗難監視処理を終了する。
【００２０】
この盗難監視処理により、カバーが取り外されただけでは盗難が通知されず、カバーとデバイスとが取り外された場合に盗難が通知される。したがって、精度良くデバイスの盗難を検知し、外部へその旨を通知することができる。
【００２１】
（第２の実施の形態）
本発明に係る盗難防止装置をディスクアレイ装置に適用した例について説明する。
ディスクアレイ装置２は、コンピュータ２０と、警報システム３０と、に接続されている。
ディスクアレイ装置２は、図３（ａ）に示すように、筐体２１０と、複数のＨＤＤ（Hard Disk Drive）１２０と、接続ケーブル２３０と、フロントベゼル２４０と、ソレノイド２５０と、通知部２６０と、制御部２７０と、を備える。
【００２２】
筐体２１０は、開口部２１０ａを備え、複数のＨＤＤ１２０を格納する。また、筐体２１０の上面には、図３（ｂ）に示すように、ソレノイド２５０の可動鉄心２５０ａが貫通する穴２１０ｂが設けられている。ソレノイド２５０については後述する。
【００２３】
ＨＤＤ１２０は、接続ケーブル２３０を介してディスクアレイ装置２の外部装置であるコンピュータ２０と接続されている。ＨＤＤ１２０は、コンピュータ２０で処理されるデータ等を格納する。
【００２４】
接続ケーブル２３０は、ＨＤＤ１２０とコンピュータ２０とを接続して、データを伝送する。
【００２５】
フロントベゼル２４０は、筐体２１０の開口部２１０ａを覆う。また、フロントベゼル２４０は、ソレノイド２５０を備える。
【００２６】
ソレノイド２５０は、可動鉄心２５０ａと励磁コイル２５０ｂとを有し、フロントベゼル２４０に設置されている。
フロントベゼル２４０が筐体２１０の開口部２１０ａを覆った状態で励磁コイル２５０ｂへ流す電流をＯＮ又はＯＦＦすると、可動鉄心２５０ａは、筐体２１０の上面に設けられた穴２１０ｂを貫通する。すると、フロントベゼル２４０は、筐体２１０の開口部２１０ａを覆った状態で固定される。したがって、励磁コイル２５０ｂへ流す電流をＯＮ又はＯＦＦすることにより、フロントベゼル２４０を筐体２１０の開口部２１０ａを覆った状態で固定することができる。
【００２７】
通知部２６０は、制御部２７０から制御信号が供給されると、ＨＤＤ２２０が盗まれた旨を関係者にＥメールで通知するとともに、外部に設置されている警報システム３０に通報する。
【００２８】
制御部２７０は、ＣＰＵ（Central Processing Unit）、ＲＯＭ（Read Only Memory）等から構成され、ＲＯＭに格納されたプログラムに従って、ディスクアレイ装置２全体を制御する。制御部２７０は、接続ケーブル２３０の接続状態を判別するとともに、ソレノイド２５０の励磁コイル２５０ｂへの電流の供給状態を判別する。そして、接続ケーブル２３０が接続していないと判別するとともに、可動鉄心２５０ａが筐体２１０ａに設けられた穴２１０ｂを貫通していないと判別した場合、制御部２７０は、通知部２６０へと制御信号を供給し、ＨＤＤ２２０が盗難された旨を関係者にＥメールで通知させるとともに、警報システム３０に通報させる。
【００２９】
次に、ディスクアレイ装置２の動作について、図４のフローチャートを参照して説明する。
【００３０】
ディスクアレイ装置２の電源（図示せず）が投入されると、制御部２７０は、図４のフローチャートで示す盗難監視処理を開始する。
【００３１】
まず、制御部２７０は、ユーザによって操作部（図示せず）が操作され、操作部からＨＤＤ２２０の盗難監視を開始する操作情報が供給されたか否かを判別する（ステップＳ２１）。操作情報が供給されなかったと判別した場合（ステップＳ２１；Ｎｏ）、制御部２７０は、処理をステップＳ２１に戻す。操作情報が供給されたと判別した場合（ステップＳ２１；Ｙｅｓ）、制御部２７０は、ソレノイド２５０の励磁コイル２５０ｂへの電流の供給状態を判別し、フロントベゼル２４０が取り外されたか否かを判別する（ステップＳ２２）
【００３２】
フロントベゼル２４０が取り外されていないと判別した場合（ステップＳ２２；Ｎｏ）、制御部２７０は、処理をステップＳ２２に戻す。フロントベゼル２４０が取り外されたと判別した場合（ステップＳ２２；Ｙｅｓ）、制御部２７０は、筐体２１０に格納されたＨＤＤ２２０のうち少なくとも１つ以上のＨＤＤ２２０が取り外されているか否かを判別する（ステップＳ２３）。ＨＤＤ２２０が取り外されていないと判別した場合（ステップＳ２３；Ｎｏ）、制御部２７０は、処理をステップＳ２２に戻す。
【００３３】
ＨＤＤ２２０が取り外されていると判別した場合（ステップＳ２３；Ｙｅｓ）、制御部２７０は、ＨＤＤ２２０が盗まれた旨を関係者にＥメールで通知する（ステップＳ２４）。それととともに、制御部２７０は、警報システム３０に通報し（ステップＳ２５）、盗難監視処理を終了する。
【００３４】
この盗難監視処理により、盗難の監視を開始した後に判別処理を開始するため、例えばメンテナンスでは、盗難の監視を開始しなければ、フロントベゼルとＨＤＤとを取り外しても、外部へ通知することがない。したがって、盗難を監視する場合にのみ外部へ通知されるため、誤報が発生することが少なくなる。
【００３５】
また、ハードウェアとしてディスクアレイ装置にソレノイドを追加するのみでフロントベゼルの取り外しを防止することができる。さらに、ソフトウェアのわずかな機能追加だけでハードディスクの盗難を通知することができるため、低コストで精度良く盗難を検知して、外部へ通知することができる。
【００３６】
以上、本発明の実施の形態について説明したが、本発明を実施するにあたっては、種々の形態による変形及び応用が可能であり、上記実施の形態に限られるものではない。
【００３７】
例えば、格納部に格納するデバイスの数は任意に設定してもよい。そして、例えば、カバーが取り外され、且つ、少なくとも１つ以上のデバイスが取り外されたとき、外部にその旨を通知してもよい。
【００３８】
例えば、通知部に音声を出力する機能を追加して、音声によって盗難を通知してもよい。
【００３９】
また、例えば、盗難防止装置に表示部をさらに設けて、盗難が発生したときに、表示部に盗難が発生した旨を表示してもよい。
【００４０】
また、例えば、制御部がデバイスの盗難を検知したときに、制御部が外部のシステムに盗難の旨を直接通知してもよい。
【図面の簡単な説明】
【００４１】
【図１】第１の実施の形態に係る盗難防止装置の構成例を示す図である。
【図２】第１の実施の形態に係る盗難防止装置が実行する盗難監視処理のフローチャートである。
【図３】（ａ）は、第２の実施の形態に係るディスクアレイ装置の構成例を示す図である。（ｂ）は、第２の実施の形態に係るディスクアレイ装置を構成する筐体の上面を上側から見た図である。
【図４】第２の実施の形態に係るディスクアレイ装置が実行する盗難監視処理のフローチャートである。
【符号の説明】
【００４２】
１・・・盗難防止装置、２・・・ディスクアレイ装置、１０・・・外部装置、２０・・・コンピュータ、３０・・・警報システム、１１０・・・格納部、１２０・・・デバイス、１３０・・・接続部、１４０・・・カバー、１５０・・・固定部、１６０，２６０・・・通知部、１７０，２７０・・・制御部、２１０・・・筐体、２２０・・・ハードディスクドライブ、２３０・・・接続ケーブル、２４０・・・フロントベゼル、２５０・・・ソレノイド、２５０ａ・・・可動鉄心、２５０ｂ・・・励磁コイル
【図１】
0005369450.tif 000002
【図２】
0005369450.tif 000003
【図３】
0005369450.tif 000004
【図４】
0005369450.tif 000005